(57)【要約】【課題】小物食器類が小物入れの底孔に落ち込むことなく、洗浄水が底孔から入り易くして洗浄効果を高める。【解決手段】小物食器類１８を収容する収容部１９と、収容部１９に収容された小物食器類１８を支持する底面部２２と、底面部２２に設けられた底孔２３とを備え、底孔２３は、小物食器類１８を支持可能なウェーブ形状のスリットで形成されたもので、柄の部分が薄くて小さいスプーンなどの落ち込みを防止して、底孔２３の面積を大きくし、小物入れ１７に収容された小物食器類１８の洗浄効果を高めることができる。【選択図】図４
2019141320.tif 000002
【特許請求の範囲】
【請求項１】
小物食器類を収容する収容部と、
前記収容部に収容された小物食器類を支持する底面部と、
前記底面部に設けられた底孔とを備え、
前記底孔は、前記小物食器類を支持可能なウェーブ形状のスリットで形成された、
食器洗い機の小物入れ。
【請求項２】
前記底孔は、円弧部を含んでウェーブ形状に形成された、
請求項１に記載の食器洗い機の小物入れ。
【請求項３】
前記底孔は、屈曲部を含んでウェーブ形状に形成された、
請求項１に記載の食器洗い機の小物入れ。
【請求項４】
前記底面部は、少なくとも、上面側および下面側のいずれかに、ウェーブ形状の前記底孔に沿うようにリブが設けられた、
請求項１〜３のいずれか１項に記載の食器洗い機の小物入れ。
【請求項５】
前記底面部は、中央部が山形に高く形成された、
請求項１〜４のいずれか１項に記載の食器洗い機の小物入れ。
【請求項６】
前記底面部は、中央部が谷形に低く形成された、
請求項１〜４のいずれか１項に記載の食器洗い機の小物入れ。
【請求項７】
前記底孔は、ウェーブ形状の長手方向を、前記底面部の傾斜方向に設けられた、
請求項５または６に記載の食器洗い機の小物入れ。
【発明の詳細な説明】
【技術分野】
【０００１】
本発明は、洗浄水を用いて食器などを洗浄する食器洗い機の小物入れに関する。
【背景技術】
【０００２】
食器などを洗浄する食器洗い機は、洗浄ポンプによって加圧された洗浄水が洗浄ノズルの噴射口から食器に向けて噴射され、食器に付着した汚れを洗い流して洗浄するのが一般的である。皿や碗などの食器類は、食器かごに載置され、箸やスプーンなどの小物食器類は、小物入れに収容される（例えば、特許文献１参照）。
【０００３】
上記特許文献１に記載された食器洗浄機は、図１０に示すように、箸やスプーンなどの小物食器類３１を収容する小物入れ３２は、皿や碗などの食器類３３を載置する食器かご３４に設けられ、洗浄槽３５内に設置される。小物入れ３２は、合成樹脂製で矩形箱状に形成され、小物食器類３１を出し入れする上面は開放されている。小物入れ３２の側面は、食器かご３４の下方に設けられた洗浄ノズル３６から噴射される洗浄水が入る格子状の孔３７が多数形成される。さらに、小物入れ３２の底面は、小物食器類３１が落ち込まないように、小さな孔が多数形成される。
【先行技術文献】
【特許文献】
【０００４】
【特許文献１】特開２００３−１８０６０７号公報
【発明の概要】
【発明が解決しようとする課題】
【０００５】
しかしながら、箸やスプーンなどの小物食器類は、小物入れに立て掛けるようにして収容されるため、小物入れの底面は、小物食器類が落ち込まないように洗浄水が入る孔が小さく形成される。その結果、孔の面積が小さくなり、洗浄ノズルから噴射される洗浄水が小物入れの中に入り難いという問題があった。一方、洗浄水が入り易くするために孔の面積を大きくする方法として、長孔にすることが考えられる。この場合は、柄の部分が薄くて小さいスプーンなどが落ち込むおそれがある。したがって、小物食器類の落ち込み防止と、洗浄水を入り易くして洗浄効果を高めることができる小物入れを実現することが課題であった。
【０００６】
本発明は、前記従来の課題を解決するもので、小物食器類の落ち込みを防止するとともに、底面の孔から洗浄水が入り易くして、洗浄効果を高めることができる食器洗い機の小物入れを提供することを目的とする。
【課題を解決するための手段】
【０００７】
前記従来の課題を解決するために、本発明の食器洗い機の小物入れは、小物食器類を収容する収容部と、前記収容部に収容された小物食器類を支持する底面部と、前記底面部に設けられた底孔とを備え、前記底孔は、前記小物食器類を支持可能なウェーブ形状のスリットで形成されたものである。
【０００８】
この構成によって、箸やスプーンなどの小物食器類の落ち込みを防止して底孔の面積を大きくすることができ、小物入れに収容された小物食器類の洗浄効果を高めることができる。
【発明の効果】
【０００９】
本発明の食器洗い機の小物入れは、収容される小物食器類が底孔に落ち込むことなく、洗浄効果を高めることができる。
【図面の簡単な説明】
【００１０】
【図１】本発明の実施の形態１における小物入れを備えた食器洗い機の要部断面図
【図２】本実施の形態における食器洗い機の小物入れの斜視図
【図３】本実施の形態における食器洗い機の小物入れの底面部の平面図
【図４】本実施の形態における食器洗い機の小物入れの底孔の拡大図
【図５】本実施の形態における食器洗い機の小物入れの図３のＸ−Ｘ断面図
【図６】本実施の形態における食器洗い機の小物入れの要部断面図
【図７】本実施の形態における食器洗い機の小物入れの下方から見た斜視図
【図８】本実施の形態における食器洗い機の小物入れの下方から見た要部拡大図
【図９】本実施の形態における食器洗い機の小物入れの他の例の底孔の平面図
【図１０】従来の食器洗浄機の要部断面図
【発明を実施するための形態】
【００１１】
第１の発明の食器洗い機の小物入れは、小物食器類を収容する収容部と、前記収容部に収容された小物食器類を支持する底面部と、前記底面部に設けられた底孔とを備え、前記底孔は、前記小物食器類を支持可能なウェーブ形状のスリットで形成されたものである。
【００１２】
この構成によって、柄の部分が薄くて小さいスプーンなどの落ち込みを防止して、底孔の面積を大きくすることができる。したがって、洗浄ノズルから噴射される洗浄水が底面部に設けられた底孔から入り易くなり、小物入れに収容された小物食器類の洗浄効果を高めることができる。また、底孔の面積が大きくなることによって、水の膜が張り難くなり、乾燥性能が向上する。
【００１３】
第２の発明は、特に、第１の発明において、前記底孔は、円弧部を含んでウェーブ形状に形成されたものである。この構成によって、柄の部分が薄くて小さいスプーンなどが円弧部によって落ち込みが防止でき、かつ、底孔の面積を大きくすることができる。したがって、洗浄ノズルから噴射される洗浄水が底面部に設けられた底孔から入り易くなり、小物入れに収容された小物食器類の洗浄効果を高めることができる。また、底孔の面積が大きくなることによって、水の膜が張り難くなり、乾燥性能が向上する。
【００１４】
第３の発明は、特に、第１の発明において、前記底孔は、屈曲部を含んでウェーブ形状に形成されたものである。この構成によって、柄の部分が薄くて小さいスプーンなどが屈曲部によって落ち込みが防止でき、かつ、底孔の面積を大きくすることができる。したがって、洗浄ノズルから噴射される洗浄水が底面部に設けられた底孔から入り易くなり、小物入れに収容された小物食器類の洗浄効果を高めることができる。また、底孔の面積が大きくなることによって、水の膜が張り難くなり、乾燥性能が向上する。
【００１５】
第４の発明は、特に、第１〜第３のいずれか１つの発明において、前記底面部は、少なくとも、上面側および下面側のいずれかに、ウェーブ形状の前記底孔に沿うようにリブが設けられたものである。この構成によって、リブが底面部の上面側に設けられた場合は、小物入れに収容されたスプーンなどの小物食器類の倒れを防止できる。また、リブが底面部の下面側に設けられた場合は、底孔に水の膜が張り難く、水はけをよくすることができ、小物入れに入った洗浄水の底孔からの排出が促進されて、洗浄性能と乾燥性能が向上する。
【００１６】
第５の発明は、特に、第１〜第４のいずれか１つの発明において、前記底面部は、中央部が山形に高く形成されたものである。この構成によって、小物入れに入った洗浄水と、
小物食器類から洗い落とされた汚れ物質が、底面部の傾斜によって排出が促進されて水はけをよくすることができ、洗浄性能と乾燥性能が向上する。
【００１７】
第６の発明は、特に、第１〜第４のいずれか１つの発明において、前記底面部は、中央部が谷形に低く形成されたものである。この構成によって、小物入れに入った洗浄水と、小物食器類から洗い落とされた汚れ物質が、底面部の傾斜によって排出が促進されて水はけをよくすることができ、洗浄性能と乾燥性能が向上する。
【００１８】
第７の発明は、特に、第５または第６の発明において、前記底孔は、ウェーブ形状の長手方向を、前記底面部の傾斜方向に設けられたものである。この構成によって、小物食器類から洗い落とされた汚れ物質の排出が促進され、小物入れ内での残留が抑制される。
【００１９】
以下、本発明の実施の形態について、図面を参照しながら説明する。なお、この実施の形態によって本発明が限定されるものではない。
【００２０】
（実施の形態１）
図１は、本発明の実施の形態１における小物入れを備えた食器洗い機の要部断面図であり、食器洗い機がシステムキッチンＳＫにビルトインされた状態を示す。図２は、本実施の形態における食器洗い機の小物入れの斜視図である。図３は、本実施の形態における食器洗い機の小物入れの底面部の平面図である。図４は、本実施の形態における食器洗い機の小物入れの底孔の拡大図である。図５は、本実施の形態における食器洗い機の小物入れの図３のＸ−Ｘ断面図である。図６は、本実施の形態における食器洗い機の小物入れの要部断面図である。図７は、本実施の形態における食器洗い機の小物入れの下方から見た斜視図である。図８は、本実施の形態における食器洗い機の小物入れの下方から見た要部拡大図である。
【００２１】
図１〜図８において、本実施の形態の小物入れを備えた食器洗い機は、筐体１と、洗浄槽２と、洗浄ポンプ３と、給水弁４と、扉体５などを含む。筐体１は、前面に前面開口部１ａを有する。洗浄槽２は、内部に食器かご６と、洗浄ノズル７と、排水口８と、残さいフィルタ９などを含む。洗浄槽２は、筐体１の内部に前後方向に出し入れ可能に設けられる。洗浄槽２は、上面に上面開口部２ａを有する。上面開口部２ａは、洗浄槽２が筐体１内に収容されたときに、筐体１内に配設された内蓋１０で閉塞される。内蓋１０は、洗浄槽２の出し入れと連動してリンク機構１１により上下動する。上面開口部２ａの周縁部に変形可能な中空状のゴムチューブで形成されたシール部１２が設けられる。シール部１２は、洗浄槽２が筐体１内に収容された際に、下降する内蓋１０により圧縮されて上面開口部２ａが密閉される。
【００２２】
扉体５は、洗浄槽２の前部に設けられ、収納時に筐体１の前面を覆う。洗浄槽２の出し入れは、扉体５に設けられたハンドル５ａを把持して行われる。給水弁４は、筐体１内部の後部に設けられる。給水弁４は、開放により、洗浄水となる、例えば水道水を洗浄槽２に供給する。洗浄ポンプ３は、筐体１内の底面に設けられる。洗浄ノズル７は、洗浄槽２内の底面側に設けられる。
【００２３】
洗浄ポンプ３は、洗浄水を洗浄ノズル７に圧送する。洗浄ノズル７は、圧送された洗浄水により回転しながら、食器かご６に載置された被洗浄物に向けて洗浄水を噴射する。つまり、洗浄ポンプ３は、洗浄槽２内に溜められた洗浄水を加圧して洗浄ノズル７に供給する。洗浄ノズル７から噴射された洗浄水は、被洗浄物に衝突して汚れを落とし、洗浄を行う。なお、洗浄水は、洗剤を含んで被洗浄物に噴射される洗浄液と、被洗浄物をすすぐためのすすぎ水とを含む。
【００２４】
排水口８は、洗浄槽２内の底部に設けられる。残さいフィルタ９は、排水口８に着脱自在に設けられ、被洗浄物から洗浄、除去された残さいを捕集する。ヒータ１３は、洗浄槽２内の底部に溜められる洗浄水中に没するように配設される。ヒータ１３は、洗い工程において、洗浄槽２内に溜められた洗浄水を加熱する。ヒータ１３は、乾燥工程において、洗浄槽２内の乾燥用空気を加熱する。洗浄槽２の底面外側に配設されたサーミスタ等の温度センサ１４は、洗浄槽２の温度を検知する。
【００２５】
洗浄ポンプ３は、吸い込み側が排水口８に連通され、残さいフィルタ９で残さいが除去された洗浄水を循環させる。さらに、洗浄ポンプ３は、循環時のモータの回転方向を反転させることにより、残さいが除去された洗浄水を排水可能に構成される。
【００２６】
洗浄運転を制御する制御部１５は、扉体５の内側に設けられている。制御部１５は、被洗浄物を洗う洗い工程、被洗浄物に付着した洗剤および残さいを流す、すすぎ工程、および、被洗浄物を乾燥させる乾燥工程を逐次制御し、洗浄運転を実行する。
【００２７】
食器かご６は、被洗浄物である皿や碗などの食器類１６が載置され、洗浄槽２内に設置される。食器かご６は、小物入れ１７が取り外し可能に設けられる。小物入れ１７は、被洗浄物である箸やスプーンなどの小物食器類１８が収容される。小物入れ１７は、合成樹脂製で矩形箱状に形成され、小物食器類１８を出し入れする上面は開放されている。小物入れ１７は、大きさや形の異なる様々な小物食器類１８が最適に収容されるように、深さや大きさの異なる複数の収容部１９（１９ａ、１９ｂ、１９ｃ）が設けられる。小物入れ１７の側面部２０は、食器かご６の下方に設けられた洗浄ノズル７から噴射される洗浄水が入る格子状の孔２１が多数形成される。小物入れ１７の底面部２２は、ウェーブ形状のスリットで形成された底孔２３が設けられる。
【００２８】
底孔２３は、小物入れ１７に設けられた収容部１９ａ、１９ｂ、１９ｃの底面部２２の全域に亘って形成される。小物入れ１７に立て掛けて収容された小物食器類１８は、小物入れ１７の底面部２２に形成された底孔２３（２３ａ、２３ｂ、２３ｃ）に落ち込むことなく支持される。底孔２３は、複数の円弧部２４を有するスリットであり、円弧部２４が反対側へ膨らむことでウェーブ形状に形成されている。底孔２３ａと底孔２３ｂの間に、底孔２３ｃが長手方向にずれて配設される。互いに隣接する底孔２３ａ、底孔２３ｂ、底孔２３ｃの間隔は、底孔２３の幅Ａと略同等である。
【００２９】
底孔２３の寸法の一例は、次の通りである。
底孔２３の幅Ａ＝１．９ｍｍ〜２．４ｍｍ
底孔２３の長さＢ＝８ｍｍ〜２０ｍｍ
底孔２３の円弧部２４の半径Ｒ＝５ｍｍ〜１２ｍｍ
ウェーブ形状のスリットで形成された底孔２３は、小物食器類１８が箸などの場合、スリットの幅Ａは箸などより小さく設定され、箸などが底孔２３に落ち込むことがない。そして、小物食器類１８が柄の部分が薄くて小さいスプーンなどの場合、円弧部２４によってスプーンなどの柄が底孔２３に落ち込むことがない。したがって、小物食器類１８が収容部１９ａ、１９ｂ、１９ｃのいずれに入れられても、底面部２２で支持される。底孔２３は、連結部２２ａによって長手方向に繋がっている。連結部２２ａは、長手方向にずれた隣接する底孔２３の中央部分と対向するように配設されており、これによって、底面部２２の強度が確保される。
【００３０】
小物入れ１７の底面部２２は、ウェーブ形状に形成された底孔２３に沿うようにリブ２５が設けられている。リブ２５は、底面部２２の上面側と下面側に設けられる。上面側に設けられたリブ２５ａは、小物入れ１７に収容されたスプーンなどの倒れを防止する。リブ２５ａは、所定の間隔を有して設けられ、例えば、リブ２５ａ間に、５列の底孔２３を
隔てて形成される。リブ２５ａの幅は、底孔２３の幅Ａと略同等で、高さは、底孔２３の幅Ａより大に形成される。底面部２２の下面側に設けられたリブ２５ｂは、底孔２３に水の膜が張り難くし、小物入れ１７に入った洗浄水の水はけをよくする。リブ２５ｂは、所定の間隔を有して設けられ、例えば、リブ２５ｂ間に、２列の底孔２３を隔てて形成される。リブ２５ｂの幅は、底孔２３の幅Ａと略同等で、高さは、底孔２３の幅Ａより大に形成される。
【００３１】
また、小物入れ１７の底面部２２は、中央部が高い山形に傾斜している。中央部より低い両端部は、側面部２０に設けられた孔２１ａと対向している。小物入れ１７に入った洗浄水や、小物食器類１８から洗い落とされた汚れ物質は、底面部２２の傾斜を孔２１ａに向かって流れ、小物入れ１７から迅速に排出される。底面部２２の傾斜角度は、例えば、水平に対して１５度〜２０度程度が好ましい。
【００３２】
なお、図示しないが、底面部２２の傾斜は、中央部が低い谷形に形成されてもよい。この場合の底面部２２の傾斜角度は、山形に形成された場合と同様である。底孔２３は、ウェーブ形状に形成されたスリットの長手方向を、底面部２２の傾斜方向に設けられている。
【００３３】
図９は、小物入れ１７の他の例の底孔２３の平面図である。底面部２２に形成される底孔２３は、複数の屈曲部２６を連結して形成されたものである。屈曲部２６は、凸部２６ａと凹部２６ｂを有し、これらを交互に設けることによってウェーブ形状のスリットが形成される。この構成により、底孔２３は、円弧部２４を有するウェーブ形状のスリットと同様の作用効果を奏する。
【００３４】
小物入れ１７の底面部２２にウェーブ形状に形成された底孔２３は、これらの形状により、スリットを中断する連結部を少なくすることができ、下方から噴射される洗浄水が多く通過して、効率よく洗浄できるものである。ウェーブ形状は、円弧部２４および屈曲部２６などの様々な組み合わせにより、スプーンの柄などが落ち込まないように形成されればよく、記載された形状に限定されるものではない。
【００３５】
次に、上記小物入れ１７を備える食器洗い機の動作について説明する。まず、使用者は、扉体５のハンドル５ａを把持して食器洗い機の筐体１から洗浄槽２を引き出す。開放された洗浄槽２の上面開口部２ａから、被洗浄物である皿や碗などの食器類１６を食器かご６にセットし、被洗浄物である箸やスプーンなどの小物食器類１８を小物入れ１７に立て掛けて収容した後、洗浄槽２を筐体１内に押し込んで扉体５を閉じる。そして、使用者は、制御部１５に接続された操作部（図示せず）で、運転コースを設定し、例えば、開始ボタン（図示せず）を操作して、洗浄運転を開始する。これにより、制御部１５は、運転コースに基づいて、洗浄運転を実行する。
【００３６】
洗い工程は、制御部１５により給水弁４を動作させて、所定量の洗浄水を洗浄槽２に供給する。給水が完了すると、洗浄ポンプ３を駆動して洗浄水を圧送し、洗浄槽２の底部近傍に配設された洗浄ノズル７から被洗浄物に向けて洗浄水を噴射する。洗浄ノズル７から噴射された洗浄水は、食器かご６に載置された食器類１６の汚れを洗い落とす。また、小物入れ１７の側面部２０に設けられた孔２１、および、小物入れ１７の底面部２２に設けられた底孔２３を通過し、収容されている小物食器類１８の汚れを洗い落とす。小物食器類１８から洗い落とされて、小物入れ１７の中に落下した洗浄水と汚れ物質は、孔２１ａに向かって下り傾斜の底面部２２を流れて、迅速に小物入れ１７の外へ排出される。
【００３７】
次に、噴射された洗浄水は、被洗浄物である食器類１６および小物食器類１８の汚れを洗浄し、残さいフィルタ９と排水口８を通過して、再度、洗浄ポンプ３に吸い込まれる。
洗浄ポンプ３は、吸い込んだ洗浄水を圧送し、洗浄ノズル７に洗浄水を供給して循環して洗浄を行う。制御部１５は、洗い工程を所定時間（例えば、３０分）実行した後、洗浄ポンプ３のモータの回転方向を反転させ、洗浄槽２内の汚れを含む洗浄水を排水口８から筐体１外へ排水する。
【００３８】
次に、洗い工程に続いてすすぎ工程が実行される。すすぎ工程は、洗い工程と同様に、洗浄ポンプ３が駆動され、洗浄ノズル７から新しい洗浄水を噴射する。これにより、食器類１６および小物食器類１８に残留する洗剤および残さいなどを、洗浄水で洗い流す。このとき、洗浄水の排出、すすぎ、洗浄水の供給などのすすぎ動作を複数回（例えば、２回〜３回）繰り返す。そして、すすぎ工程が終了すると、続いて、ヒータ１３で洗浄槽２内の空気を加熱し、ファン（図示せず）により送風する。これにより、食器類１６および小物食器類１８を乾燥させる、制御部１５は、乾燥工程を所定時間（例えば、３０分）行い、洗浄運転が終了する。
【００３９】
以上のように、本実施の形態の食器洗い機の小物入れは、小物食器類１８を収容する収容部１９と、収容部１９に収容された小物食器類１８を支持する底面部２２と、底面部２２に設けられた底孔２３とを備え、底孔２３は、小物食器類１８を支持可能なウェーブ形状のスリットで形成されたものである。この構成によって、柄の部分が薄くて小さいスプーンなどの落ち込みを防止して、底孔２３の面積を大きくすることができる。したがって、洗浄ノズル７から噴射される洗浄水が、底面部２２に設けられた底孔２３から小物入れ１７の中に入り易くなり、小物入れ１７に収容された小物食器類１８の洗浄効果を高めることができる。また、底孔２３の面積が大きくなることによって、水の膜が張り難くなり、乾燥性能が向上する。
【００４０】
また、底孔２３は、円弧部２４を含んでウェーブ形状に形成されたものである。この構成によって、柄の部分が薄くて小さいスプーンなどが円弧部２４によって落ち込みが防止でき、かつ、底孔２３の面積を大きくすることができる。したがって、洗浄ノズル７から噴射される洗浄水が、底面部２２に設けられた底孔２３から小物入れ１７の中に入り易くなり、小物入れ１７に収容された小物食器類１８の洗浄効果を高めることができる。また、底孔２３の面積が大きくなることによって、水の膜が張り難くなり、乾燥性能が向上する。
【００４１】
また、底孔２３は、屈曲部２６を含んでウェーブ形状に形成されたものである。この構成によって、柄の部分が薄くて小さいスプーンなどが屈曲部２６によって落ち込みが防止でき、かつ、底孔２３の面積を大きくすることができる。したがって、洗浄ノズル７から噴射される洗浄水が、底面部２２に設けられた底孔２３から小物入れ１７の中に入り易くなり、小物入れ１７に収容された小物食器類１８の洗浄効果を高めることができる。また、底孔２３の面積が大きくなることによって、水の膜が張り難くなり、乾燥性能が向上する。
【００４２】
また、底面部２２は、ウェーブ形状の底孔２３に沿うようにリブ２５が設けられたものである。この構成によって、リブ２５が底面部２２の上面側に設けられた場合は、小物入れ１７に収容されたスプーンなどの小物食器類１８の倒れを防止できる。また、リブ２５が底面部２２の下面側に設けられた場合は、底孔２３に水の膜が張り難く、水はけをよくすることができ、小物入れ１７に入った洗浄水の底孔２３からの排出が促進されて、洗浄性能と乾燥性能が向上する。
【００４３】
また、底面部２２は、中央部が山形に高く形成されたものである。この構成によって、小物入れ１７に入った洗浄水と、小物食器類１８から洗い落とされた汚れ物質が、底面部２２の傾斜により、排出が促進されて水はけをよくすることができ、洗浄性能と乾燥性能
が向上する。
【００４４】
また、底面部２２は、中央部が谷形に低く形成されたものである。この構成によって、小物入れ１７に入った洗浄水と、小物食器類１８から洗い落とされた汚れ物質が、底面部２２の傾斜により、排出が促進されて水はけをよくすることができ、洗浄性能と乾燥性能が向上する。
【００４５】
また、底孔２３は、ウェーブ形状の長手方向を、底面部２２の傾斜方向に設けられたものである。この構成によって、小物食器類１８から洗い落とされた汚れ物質の排出が促進され、小物入れ１７内での残留が抑制される。
【産業上の利用可能性】
【００４６】
以上のように、本発明にかかる食器洗い機の小物入れは、収容される小物食器類が底孔に落ち込むことなく、洗浄効果を高めることができるので、食器洗い機の小物入れとして有用である。
【符号の説明】
【００４７】
１７  小物入れ
１８  小物食器類
１９（１９ａ、１９ｂ、１９ｃ）  収容部
２２  底面部
２３（２３ａ、２３ｂ、２３ｃ）  底孔
２５（２５ａ、２５ｂ）  リブ
【図１】
2019141320.tif 000003
【図２】
2019141320.tif 000004
【図３】
2019141320.tif 000005
【図４】
2019141320.tif 000006
【図５】
2019141320.tif 000007
【図６】
2019141320.tif 000008
【図７】
2019141320.tif 000009
【図８】
2019141320.tif 000010
【図９】
2019141320.tif 000011
【図１０】
2019141320.tif 000012